(57)【要約】【課題】試験者が各住戸の戸外にまで行かなくても、定位置から各住戸の住宅情報盤の動作確認試験を行える試験機能を備えた火災報知システムを提案する。【解決手段】少なくとも、制御信号、通話信号を伝送するための伝送ラインＬ１を導出した警報監視統合盤１と、住戸内に設置された火災感知器３に感知器回線Ｌ２を通じて接続され、かつ伝送ラインＬ１上に接続された住宅情報盤２とで構成され、警報監視統合盤１は、伝送ラインＬ１より、住宅情報盤２を指定して、アドレスを指定した試験信号を少なくとも送出する住宅情報盤遠隔試験回路１７を備え、住宅情報盤２は、伝送ラインＬ１を通じて、試験信号を受けたときには、予め準備した動作確認信号を、伝送ラインＬ１を通じて、警報監視統合盤１に返信する構成にしている。【選択図】図１
2006302189.tif 000002
【特許請求の範囲】
【請求項１】
少なくとも、制御信号、通話信号を伝送するための伝送ラインを導出した警報監視統合盤と、住戸内に設置された火災感知器に感知器回線を通じて接続され、かつ上記伝送ライン上に接続された住宅情報盤とで構成され、
上記警報監視統合盤は、
上記伝送ラインより、上記住宅情報盤を指定した試験信号を少なくとも送出する住宅情報盤遠隔試験回路を備え、
上記住宅情報盤は、上記伝送ラインを通じて、上記試験信号を受けたときには、予め準備した動作確認信号を、上記伝送ラインを通じて、上記警報監視統合盤に返信する構成にしている試験機能を備えた火災報知システム。
【請求項２】
請求項１において、
上記警報監視統合盤は、システム内の住宅情報盤に関する情報を表示する表示部を有するとともに、
上記住宅情報盤遠隔試験回路は、試験スイッチと、その試験スイッチを操作する度に、システム内の住宅情報盤を順次呼び出して、試験信号を自動送出する試験信号発生回路部とを備えた構成とされている試験機能を備えた火災報知システム。
【請求項３】
請求項１または２において、
上記住宅情報盤は、制御回路と警報回路とを更に備え、
上記制御回路が警報監視統合盤から試験信号を受けたときには、上記警報回路を作動して、その警報回路からの警報を、上記伝送ラインを通じて、上記警報監視統合盤に返信させる構成にしている、試験機能を備えた火災報知システム。
【発明の詳細な説明】
【技術分野】
【０００１】
本発明は、少なくとも、制御信号、通話信号を伝送するための伝送ラインを導出した警報監視統合盤と、住戸内に設置された火災感知器に感知器回線を通じて接続され、かつ伝送ライン上に接続された住宅情報盤とで構成される試験機能を備えた火災報知システムに関する。
【背景技術】
【０００２】
この種の試験機能を備えた火災報知システムは、集合住宅などで使用されている。
【０００３】
下記特許文献１は、この種のシステムを開示しており、管理人室などに設置される警報監視統合盤１００から伝送ラインＬ１を導出させ、伝送ラインＬ１上には、各住戸の住宅情報盤２００を接続し、かつ、各住戸の住宅情報盤２００には試験中継器４００を介して感知器回線Ｌ２を導出させ火災感知器３００を接続している（図６参照）。ここに、警報監視統合盤１００は、従来から使用されている火災受信機と警報監視盤の機能を兼用させたものであり、その基本的な概念は下記特許文献２において提案されている。
【０００４】
また、このシステムでは、各住戸の住宅情報盤２００に対して順次アドレスを指定した多重信号によって、住宅情報盤２００を呼出し、各住戸の住宅情報盤２００との間で相互呼出によるインターホン通話が可能であり、更に、図示しないロビーインターホンと各住戸の住宅情報盤２００との間の呼出通話、図示しない電気錠施解錠の制御も可能になっている。
【０００５】
また、監視回線Ｌ２に接続された火災感知器３００が発報し、作動したときには、その住宅情報盤２００は内蔵された警報回路を駆動して警報音を出力し、これとともに住宅情報盤２００は、自己に割り付けたアドレスを含む火災信号を割り込みで警報監視統合盤１００に出力する。
これに対して、警報監視統合盤１００は、この火災信号を受信すると、内蔵した警報回路を作動して警報音を出力する他、図示しない地区音響装置を作動させ、近隣住居に火災発生を通知する。
【０００６】
また、この種のシステムでは、各住戸の住宅情報盤２００には、玄関先に試験中継器４００を設けて遠隔試験器５００を接続して、遠隔試験ができるようになっている。すなわち、遠隔試験器５００を試験中継器４００に接続し、試験信号を住宅情報盤２００に出力することで、住宅情報盤２００から予め準備された動作確認信号（警報音、警報メッセージなど）を遠隔試験器５００に出力させ、これを遠隔試験器５００が受けてスピーカから出力する。
これによって、遠隔試験器５００では、住宅情報盤２００の制御回路、警報回路の動作試験ができる。
【特許文献１】特開平９−９１５７８号公報
【特許文献２】特許３２７３３０６公報
【発明の開示】
【発明が解決しようとする課題】
【０００７】
ところで、このようなシステムにおいては、各住戸の外部から住宅情報盤の動作確認試験が行えるが、そのためには、各住戸の玄関先まで行く必要があり、更に、改善が望まれている。
【０００８】
本発明はこのような問題を解決するために提案されるものであって、試験者が各住戸の戸外にまで行かなくても、警報監視統合盤の設置された管理室などから、各住戸の住宅情報盤の動作確認試験を遠隔操作によって行えるようにした試験機能を備えた火災報知システムを提案することを目的とする。
【課題を解決するための手段】
【０００９】
上記目的を達成するため、本発明の請求項１では、少なくとも、制御信号、通話信号を伝送するための伝送ラインを導出した警報監視統合盤と、住戸内に設置された火災感知器に感知器回線を通じて接続され、かつ上記伝送ライン上に接続された住宅情報盤とで構成され、上記警報監視統合盤は、上記伝送ラインより、上記住宅情報盤を指定した試験信号を少なくとも送出する住宅情報盤遠隔試験回路を備え、上記住宅情報盤は、上記伝送ラインを通じて、上記試験信号を受けたときには、予め準備した動作確認信号を、上記伝送ラインを通じて、上記警報監視統合盤に返信する構成にしている。
【００１０】
請求項２では、上記警報監視統合盤は、システム内の住宅情報盤に関する情報を表示する表示部を有するとともに、上記住宅情報盤遠隔試験回路は、試験スイッチと、その試験スイッチを操作する度に、システム内の住宅情報盤を順次呼び出して、試験信号を自動送出する試験信号発生回路部とを備えた構成とされている。
【００１１】
請求項３では、上記住宅情報盤は、制御回路と警報回路とを更に備え、上記制御回路が警報監視統合盤から試験信号を受けたときには、上記警報回路を作動して、その警報回路からの警報を、上記伝送ラインを通じて、上記警報監視統合盤に返信させる構成にしている。
【発明の効果】
【００１２】
本発明によれば、以下の効果を奏する。
【００１３】
請求項１によれば、警報監視統合盤から試験信号を送出すれば、これを各住戸の住宅情報盤が受けて、動作確認信号を返信するため、試験者は警報監視統合盤の設置された管理人室などから各住戸の住宅情報盤の動作試験を行え、試験効率が向上する。また、従来のように、遠隔試験中継器や遠隔試験器が不要となり、省配線、コスト軽減を図ることができる。
【００１４】
請求項２によれば、警報監視統合盤の表示部に、遠隔試験の結果を表示するようにすれば、動作確認信号を耳で確認することなく、表示を確認した直後に試験スイッチを操作するだけで次の住宅情報盤に試験信号を送出でき、迅速で効率の良い動作試験が出来る。
【００１５】
請求項３によれば、各住宅情報盤は試験信号を受けたときには、自身の警報回路からも警報を出力するため、住人も自宅の住宅情報盤の動作が正常であるか異常であるかを確認できる。
【発明を実施するための最良の形態】
【００１６】
以下に、本発明の実施の形態について説明する。
【実施例１】
【００１７】
図３は、本発明の試験機能を備えた火災報知システムの外観構成の一例を示す図である。
【００１８】
この種の火災報知システムでは、警報監視統合盤１より伝送ラインＬ１を導出させて各住戸の住宅情報盤２を接続しており、各住宅情報盤２には、感知器回線Ｌ２を通じて火災感知器３を接続している。
【００１９】
ここに、伝送ラインＬ１は、後述する信号Ｌ１ａと通話線Ｌ２ｂとを含んで構成されているが、２線式の多重伝送線で構成してもよい。
２線式の多重伝送線を使用する場合、呼出信号、返信信号、試験信号、動作確認信号の他、電源、音声信号が重畳され、伝送されるので、配線設備を簡易化できる。
【００２０】
図１は、この種の火災報知システムで使用される警報監視統合盤１の内部構成の一例を示すブロック図である。
【００２１】
この警報監視統合盤１は、信号処理部１０と、通話切換回路１１Ａ、ハンドセットＨを有する通話回路１１と、多重伝送回路１２と、スピーカＳＰを有する音声出力部１３と、操作部１４と、表示部１５と、記憶部１６と、試験信号発生回路不１７Ａを有する住宅情報盤遠隔試験回路１７とを備えている。なお、通話回路１１はハンドセットのない、ハンズフリー対応のものであってもよい。
【００２２】
信号処理部１０は、各住宅情報盤２に対してアドレスを含む呼出信号を送出し、返信信号の有無により、住宅情報盤２の状態を監視する他、各部の制御をなす機能を備えている。
【００２３】
通話回路１１からは、通話信号の送受をする通話線Ｌ１ｂが導出されており、通話切換回路１１Ａの制御により住宅情報盤２との通話経路を形成する。
【００２４】
多重伝送回路１２からは、信号線Ｌ１ａが導出されており、信号線Ｌ１ａを通じて、呼出信号、返信信号、試験信号、動作確認信号の送受を多重伝送方式で行う。
【００２５】
操作部１４はモード選択スイッチ１９を備えており、通常モード、試験モードの選択が指定できる。
【００２６】
住宅情報盤遠隔試験回路１７は、試験スイッチ１８が操作されると、操作のたびに、予め準備している住宅情報盤２のアドレスを指定して呼出し、試験信号を試験信号発生回路部１７Ａで生成し、多重伝送回路１２を通じて信号線Ｌ１ａに送出する。
【００２７】
図２は、この種の火災報知システムで使用される住宅情報盤２の内部構成の一例を示すブロック図である。
【００２８】
住宅情報盤２からは感知器回線Ｌ２が導出され、火災感知器３が接続される。６は終端抵抗器を示す。
【００２９】
住宅情報盤２は、制御回路２０と、警報回路２２と、マイク２３と、この住宅情報盤２のアドレスなどを記憶するメモリ２４と、通話切換回路２１とハンドセットＨを有した通話回路２１を備えている。なお、警報監視統合盤１と同様に、通話回路１１はハンドセットのない、ハンズフリー対応のものであってもよい。
【００３０】
制御回路２０には、信号線Ｌ１ａ、通話線Ｌ１ｂが接続されており、信号線Ｌ１ａを通じて、呼出信号、返信信号、試験信号、動作確認信号の送受を多重伝送方式で行う。
【００３１】
信号線Ｌ１ａを通じて、警報監視統合盤１から呼出信号を受信したときには、通話切換回路２１を作動させて、警報監視統合盤１との通話経路を形成する。
【００３２】
警報回路２２は、火災感知器３や、ガス漏れセンサー、防犯スイッチなどの不図示のセキュリティーセンサの発報時に警報を出力する。なお、警報には、少なくとも、予め準備された警報音、警報メッセージをスピーカＳＰから出力することをいう。
【００３３】
このような本発明システムは、以下の基本動作（通常モード）をなす。
【００３４】
警報監視統合盤１は、信号線Ｌ１ａを通じて呼出信号を各住宅情報盤２に送出し、その返信信号により各住宅情報盤２の異常、その接続異常を監視する。
【００３５】
ある火災感知器３が発報すると、感知器回線Ｌ２を短絡させるので、この状態を住宅情報盤２で検知して警報回路２２を作動させて警報出力するとともに、発報した火災感知器３のアドレスを含んだ火災信号を割り込みにより警報監視統合盤１に送出する。
【００３６】
警報監視統合盤１はこれを受けて、その表示部１５に予め準備された警報音や警報メッセージを出力したり、火災のあった住居を表示する。
【００３７】
また、このような本発明システムでは、警報監視統合盤１の操作により、住宅情報盤２のアドレスを指定して、遠隔試験を行うことができる（試験モード）。
【００３８】
これについて、図４のフローチャートとともに説明する。
【００３９】
警報監視統合盤１では、モード選択スイッチ１９を操作して試験モードを選択する（１００）。
【００４０】
この試験モードを選択した後、試験スイッチ１８を操作すると、警報監視統合盤１の信号処理部１０は、通話切換回路１１Ａを作動させて、通話回路１１を通話線Ｌ１ｂに接続する。
ついで、試験スイッチ１８を操作すると、住宅情報盤２のアドレスを含む呼出信号を送出し、再度の呼出しを行い、それが予め設定した所定回数行われた後も、応答がない場合には、通常モードに戻る。
【００４１】
呼び出した住宅情報盤２から所定時間内に応答信号を受信すると（１０３）、その住宅情報盤２に試験信号を送出する（１０５）。
【００４２】
呼出に応答した住宅情報盤２は、通話切換回路２１Ａを作動させ、通話回路２１を通話線Ｌｂ１に接続すると、この時点で警報監視統合盤１との通話経路が形成される。
【００４３】
その後、試験信号を受信した住宅情報盤２は、メモリ２４に予め準備しておいた動作確認信号を通話線Ｌ１ｂに返信するので、警報監視統合盤１はこれを受け（１０６）、スピーカＳＰから動作確認信号に基づく警報音を出力したり、動作確認信号に基づくメッセージを表示部１５に表示する（図５参照）。
警報監視統合盤１では、試験信号を送った住宅情報盤の応答、通話線Ｌ１ｂを通じての動作確認信号の返信の有無を判断して、住宅情報盤２の正常、異常を判断する。
【００４４】
図５は、遠隔試験の結果情報の表示態様の一例を示す図である。
警報監視統合盤１では、住宅情報盤２のアドレスに対して、住戸階、住戸番号などを対応させ記憶させたテーブルを備えているので、住宅情報盤２から動作確認信号を受信したときには、その住宅情報盤２のアドレスに基づき、図示するように、住戸階、住戸番号、アドレス、正常の旨を表示する。
【００４５】
正常、異常の判定は、所定時間内に動作確認信号が受信されてくるか（１０７〜１０９）。また、動作確認信号を受信した場合の音質の良否を耳で確認して判定することができる。
【００４６】
図４の遠隔試験は、警報監視統合盤に準備する制御ソフトによって種々の態様で実施できる。
【００４７】
試験モードを選択した後、試験スイッチ１８を押せば、試験対象として予め準備された住宅情報盤を順次、呼出し、応答のあったものに対して試験信号を自動的に送信して、動作確認信号を順次確認する。この場合、応答のなかったものは、所定の回数だけ、再呼出を行ない、所定回数の再呼出を行なっても応答がなかったものは、スキップするような態様も可能である。
【００４８】
また、試験スイッチ１８の操作をするたびに、各住宅情報盤２を呼出し、応答があれば、試験信号を送り、動作確認信号を受けた後、あるいは所定時間内に応答がなかった場合に、次の住宅情報盤２を呼出して、動作確認を行なうようにしてもよい。
【００４９】
遠隔試験は、その他、種々に変更した態様で実施できることはいうまでもなく、本発明システムでは、警報監視統合盤側から住宅情報盤に試験信号を送出し、そこから返信される動作確認信号を、通話線などの伝送ラインを通じて確認できるものであればよい。
【００５０】
また、本発明の基本のシステムでは、住宅情報盤２では、試験信号を受信したときに、警報回路２２を作動させないようにしているが、警報回路２２を作動させそこに格納されている警報音、警報メッセージを住戸内で鳴動させるとともに、その警報音、警報メッセージを動作確認信号として、警報監視統合盤１に返信することもできる。
【００５１】
これにより、警報監視統合盤１において、火災発生時に実際に住宅情報盤２から警報音などが出力されることを耳により確認できる。
【００５２】
その場合には、警報監視統合盤１の試験信号を２種類準備しておき、住戸内で警報回路２２を作動させたくない場合、住戸内で警報回路２２を作動させてもいい場合とに応じて送出するようにしてもよい。こうすれば、住戸人が夜間に就寝している場合でも、住戸人に迷惑をかけることなく、動作確認ができる。
【図面の簡単な説明】
【００５３】
【図１】本発明システムで使用される警報監視統合盤の基本構成の一例を示すブロック図
【図２】本発明システムで使用される住宅情報盤の基本構成の一例を示すブロック図
【図３】本発明システムの基本構成の一例を示す図
【図４】本発明システムの試験モードについて示すフローチャート
【図５】遠隔試験の結果情報の表示態様の一例を示す図
【図６】従来の試験機能を備えた火災報知システムの構成を示す図
【符号の説明】
【００５４】
１  警報監視統合盤
２  住宅情報盤
３  火災感知器
１７  住宅情報盤遠隔試験回路
１７Ａ  試験信号発生回路部
１８  試験スイッチ
２０  制御回路
２２  警報回路
Ｌ１  伝送ライン
Ｌ２  感知器回線
Ｌ１ａ  信号線
Ｌ１ｂ  通話線
【図１】
2006302189.tif 000003
【図２】
2006302189.tif 000004
【図３】
2006302189.tif 000005
【図４】
2006302189.tif 000006
【図５】
2006302189.tif 000007
【図６】
2006302189.tif 000008